(57)【要約】【課題】ロータリーシャッタを閉方向に付勢するバネ部材が、ハウジングに両端部を係止されたガイドワイヤに装着されてこのガイドワイヤに沿って伸縮する細長いコイルバネからなるディスクカートリッジにおいて、コイルバネの組込みを容易にする。【解決手段】ガイドワイヤ１３の両端に形成される抜止め用膨大部を、ガイドワイヤ１３に装着されるコイルバネ１４の脱出を阻止し得る大きさにするとともに、少なくとも一方の膨大部４０を、この膨大部４０側からのガイドワイヤ１３のコイルバネ１４内への挿入を可能にする矢尻型に形成する。【選択図】          図１
2004178642.tif 000002
【特許請求の範囲】
【請求項１】
記録媒体としてのディスクを回転自在に収容するハウジングに、ドライブ装置の記録再生ヘッドを前記ディスクの表面にアクセスさせるための開口と、バネ部材により閉方向に付勢された態様で前記開口を開閉するロータリーシャッタとが設けられ、前記バネ部材が、前記ハウジングに両端部を係止されたガイドワイヤに装着されて該ガイドワイヤに沿って伸縮する細長いコイルバネからなるディスクカートリッジにおいて、
前記ハウジングに設けられている２箇所のワイヤ係止部からの前記ガイドワイヤの抜出しを防止すべく該ガイドワイヤの両端に形成される膨大部が、該ガイドワイヤに装着された前記コイルバネの脱出を阻止し得る大きさを有するとともに、少なくとも一方の膨大部が、該膨大部側からの前記ガイドワイヤの前記コイルバネ内への挿入を可能にする形状に形成されていることを特徴とするディスクカートリッジ。
【請求項２】
前記少なくとも一方の膨大部が、前記ガイドワイヤをインサート成形により結合した合成樹脂からなることを特徴とする請求項１記載のディスクカートリッジ。
【請求項３】
前記ガイドワイヤおよび前記少なくとも一方の膨大部が、合成樹脂の一体成形により形成されていることを特徴とする請求項１記載のディスクカートリッジ。
【請求項４】
記録媒体としてのディスクを回転自在に収容するハウジングに、ドライブ装置の記録再生ヘッドを前記ディスクの表面にアクセスさせるための開口と、バネ部材により閉方向に付勢された態様で前記開口を開閉するロータリーシャッタとが設けられ、前記バネ部材が、前記ハウジングに両端部を係止されたガイドワイヤに装着されて該ガイドワイヤに沿って伸縮する細長いコイルバネからなるディスクカートリッジにおいて、
前記ハウジングに設けられている２箇所のワイヤ係止部からの前記ガイドワイヤの抜出しを防止すべく前記ガイドワイヤの両端に形成される膨大部が互いに大小関係を有するとともに、小さい方の膨大部は前記コイルバネ内の通過を許容される大きさを有し、前記ハウジングの一方のワイヤ係止部に、前記小さい方の膨大部の通過は許容する一方、大きい方の膨大部の通過は阻止し得る大きさの孔が形成されていることを特徴とするディスクカートリッジ。
【請求項５】
前記一方のワイヤ係止部が、前記コイルバネの圧縮方向側のワイヤ係止部であり、前記孔が前記コイルバネの通過をも阻止し得る大きさを有することを特徴とする請求項４記載のディスクカートリッジ。
【請求項６】
前記ガイドワイヤの小さい方の膨大部を先端に備えた他端部が、押さえ部材により前記ハウジングの他方のワイヤ係止部に係止されていることを特徴とする請求項４または５記載のディスクカートリッジ。
【請求項７】
記録媒体としてのディスクを回転自在に収容するハウジングに、ドライブ装置の記録再生ヘッドを前記ディスクの表面にアクセスさせるための開口と、バネ部材により閉方向に付勢された態様で前記開口を開閉するロータリーシャッタとが設けられ、前記バネ部材が、前記ハウジングに両端部を係止されたガイドワイヤに装着されて該ガイドワイヤに沿って伸縮する細長いコイルバネからなるディスクカートリッジにおいて、
前記ハウジングに設けられているワイヤ係止部からの前記ガイドワイヤの抜出しを防止するための膨大部が該ガイドワイヤの両端に形成されているとともに、少なくとも一方の膨大部はコイルバネ内の通過を許容される大きさを有し、該ガイドワイヤの両端部がそれぞれ押さえ部材により前記ハウジングのワイヤ係止部に係止されていることを特徴とするディスクカートリッジ。
【発明の詳細な説明】
【０００１】
【発明の属する技術分野】
本発明は、ハウジング内に磁気ディスクを回転自在に収容してなる小型磁気ディスクカートリッジに関し、特にハウジングに形成された記録再生ヘッドアクセス用の開口を開閉するためのロータリーシャッタを閉方向に付勢するコイルバネの係止構造に関するものである。
【０００２】
【従来の技術】
従来、デジタルカメラ等のモバイル機器においては、記録媒体として例えば図５〜図８に示すような「ｃｌｉｋ！（登録商標）」と呼ばれる超小型の磁気ディクカートリッジが使用されている。
【０００３】
この磁気ディスクカートリッジ１は、図５（ａ）〜（ｃ）にそのロータリーシャッタ７が閉状態にある平面図、右側面図および底面図を、図６（ａ），（ｂ）にロータリーシャッタ７が開状態にある平面図および底面図を、図７にその分解斜視図をそれぞれ示すように、押込み部２ａを含む樹脂製のフレーム２と、金属薄板からなる上下シェル３，４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【０００４】
この磁気ディスクカートリッジ１は、図９に示すドライブ装置２０に挿入態様で装填されるように構成され、そのハウジングには、ドライブ装置２０が備えている磁気ヘッド２７を磁気ディスク５の表面にアクセスさせるためのＶ字状の開口６と、この開口６を開閉するためのロータリーシャッタ７とが設けられている。
【０００５】
ロータリーシャッタ７は、互いに係合された上下のシャッタ部材７Ｕ、７Ｄ（図７参照）からなり、上シャッタ部材７Ｕは上シェル３に、下シャッタ部材７Ｄは下シェル４にそれぞれ回転可能に軸支されている。そして、磁気ディスク５と上下のシャッタ部材７Ｕ、７Ｄとの間には、それぞれライナー１８が介挿されている。
【０００６】
また、図５（ａ）におけるハウジングの左側面先端部には、ドライブ装置２０の係合部材２９に係合させて、ドライブ装置２０内での位置決めを確実にするためのノッチ８が形成され、右側面先端部には、ロータリーシャッタ７を閉位置にロックするためのシャッタロック部材１１を外部に臨ませる小窓９が図５（ｂ）に示すように形成されている。
【０００７】
ハウジングの下シェル４には、磁気ディスク５のセンタコア１０を外部に臨ませる円形の中心孔４ａと、ロータリーシャッタ７と同心的な円弧状溝４ｂとが形成され、下シャッタ部材７Ｄには、上記円弧状溝４ｂから突出しかつこの円弧状溝４ｂに沿って移動してロータリーシャッタ７を開閉するシャッタノブ７ｂが固設されている。
【０００８】
図８（ａ）は磁気ディスクカートリッジ１のロータリーシャッタ７が閉位置にあるときの状態を、図８（ｂ）はロータリーシャッタ７が開位置にある状態を、それぞれシェル３を取り除きかつ磁気ディスク５を省略して示す平面図である。
【０００９】
ロータリーシャッタ７を閉位置にロックするシャッタロック部材１１は、ロータリーシャッタ７の外周に形成された係合凹部７ｃに係入し得る係合凸部１１ａを先端に備えており、上シェル３に設けられた軸１２に回動自在に取り付けられているとともに、バネ板１１ｂによって、上記係合凸部１１ａが上記係合凹部７ｃに係入し得る方向（図８の反時計方向）にバネ付勢されている。
【００１０】
そして、磁気ディスクカートリッジ１がドライブ装置２０へ挿入される際に、ドライブ装置２０のロック解除部材１９が小窓９を通して上記シャッタロック部材１１を押圧することにより、ロック部材１１が時計方向に僅かに回動されて、係合凸部１１ａが係合凹部７ｃから脱出することによって、ロータリーシャッタ７のロックが解除される。
【００１１】
上シャッタ部材７Ｕと下シャッタ部材７Ｄとからなるロータリーシャッタ７は、小径の長いコイルバネ１４によって閉方向（図８の反時計方向）にバネ付勢されており、このコイルバネ１４の装着のためにガイドワイヤ１３がコイルバネ１４内を長さ方向に貫通している。上記ガイドワイヤ１３の両端は、フレーム２の左右端のロータリーシャッタ７の外周面に対向する係止部２ｂ，２ｃにおいてそれぞれフレーム２に係止されている。下シャッタ部材７Ｄには、ロータリーシャッタ７の回動に伴ってガイドワイヤ１３に沿ってスライドするバネ係止片７ｄが一体に突設されている。
【００１２】
コイルバネ１４は、図８（ａ）に示すように、ガイドワイヤ１３に沿って伸縮するようにフレーム２の係止部２ｂとロータリーシャッタ７のバネ係止片７ｄとの間に縮装されて、ロータリーシャッタ７を閉方向（図８の反時計方向）にバネ付勢している。この状態から、ロックを解除されたロータリーシャッタ７が図８の時計方向に回動されると、コイルバネ１４が図８（ｂ）に示すように圧縮される。
【００１３】
図９に示すドライブ装置２０は、幅５３ｍｍ、奥行き８５ｍｍ、厚さ５ｍｍの外寸を有するＴＹＰＥＩＩ  ＰＣカード型のドライブ装置であり、磁気ディスクカートリッジ１が挿入されるスロット２１と、磁気ディスク５のセンタコア１０を磁気吸着するスピンドル２３を備えたスピンドルモータ２２と、ヘッドアクチュエータ２４と、スイングアーム２５と、このスイングアーム２５に支持されたヘッドサスペンション２６とを備えている。ヘッドサスペンション２６の先端には、回転する磁気ディスク５の表面にアクセスして情報の記録再生を行なう磁気ヘッド２７が設けられている。
【００１４】
さらにドライブ装置２０には、磁気ディスクカートリッジ１のノッチ８に係合する係合部材２９を備えたプッシュ・プッシュ式のカートリッジ係止・エジェクト機構２８と、このドライブ装置２０が装填されるデジタルカメラ、パソコン等の電子機器に対する入出力インターフェース３０とを備えている。
【００１５】
ドライブ装置２０のスロット２１の奥の右側には、磁気ディスクカートリッジ１の挿入方向と直交するように左右方向に延びるシャッタノブ係止壁３１がシャッタ開放手段として形成されているとともに、閉位置にロックされたロータリーシャッタ７のロック状態を磁気ディスクカートリッジ１の挿入時に解除するロック解除部材１９が設けられている。
【００１６】
そして、磁気ディスクカートリッジ１がドライブ装置２０に挿入されると、先ずロック解除部材１９がシャッタロック部材１１を押圧してロータリーシャッタ７のロック状態を解除し、その状態でシャッタノブ７ｂがドライブ装置のシャッタノブ係止壁３１に係合するから、磁気ディスクカートリッジ１の押し込みに伴ってシャッタノブ７ｂがシャッタノブ係止壁３１に沿ってスライドする態様でロータリーシャッタ７がコイルバネ１４を圧縮しながら回動されて、図６（ａ），（ｂ）および図８（ｂ）に示すように開放され、同時に磁気ディスクカートリッジ１のノッチ８にドライブ装置２０の係合部材２９が係合することにより、磁気ディスクカートリッジ１は，図８（ｂ）に示すように、コイルバネ１４が圧縮された状態のままでドライブ装置内の所定位置にロードされる。
【００１７】
一方、磁気ディスクカートリッジ１のエジェクト時には、押込み部２ａを押圧することにより、カートリッジ係止・エジェクト機構２８が磁気ディスクカートリッジ１を押し出すとともに、磁気ディスクカートリッジ１の引き出しに伴って、ロータリーシャッタ７はコイルバネ１４の付勢力により、図５（ａ），（ｃ）および図８（ａ）に示す位置まで回動されて、シャッタロック部材１１によりロックされるように構成されている。
【００１８】
図１０（ａ）はフレーム２の拡大平面図、図１０（ｂ）は、フレーム２にガイドワイヤ１３およびコイルバネ１４が取り付けられた状態を下シャッタ部材７Ｄとともに示す拡大平面図である。
【００１９】
フレーム２におけるガイドワイヤ１３の両端を係止する係止部２ｂ，２ｃには、ガイドワイヤ１３の両端部が圧入係止される溝Ｇが形成されており、ガイドワイヤ１３の両端１３ａ，１３ｂには、溝Ｇからの抜出しを防止する膨大部１３ａ，１３ｂがガイドワイヤ１３を潰すことによって形成されているが、これら膨大部１３ａ，１３ｂは、コイルバネ１４内へのガイドワイヤ１３の挿入が許容される大きさを有する。
【００２０】
上記ガイドワイヤ１３の一端を係止するためにフレーム２に設けられる一方の係止部２ｂには、コイルバネ１４の一端を係止する係止壁２ｄが形成され、ガイドワイヤ１３の他端を係止する他方の係止部２ｃには、ロータリーシャッタ７のバネ係止片７ｄを係止する係止壁２ｅが形成されている。
【００２１】
【発明が解決しようとする課題】
ところで、上述した従来の磁気ディスクカートリッジ１においては、図８（ａ）および図１０（ｂ）から明らかなように、ロータリーシャッタ７を閉位置に向かって付勢する手段として、ガイドワイヤ１３に沿って伸縮する小径で長いコイルバネ１４が用いられ、ロータリーシャッタ７の回転に伴う外周部の移動ストローク分に追従して動作する機構となっている。
【００２２】
このような機構は、ロータリーシャッタ７の動作を確実なものにするためには不可欠な手段であるが、このような長いコイルバネ１４を磁気ディスクカートリッジ１のハウジング内に組み込むためには、先ずコイルバネ１４を縮めてガイドワイヤ１３に押し込み、次いで図１１に示すように、両手の指でコイルバネ１４を縮めながらガイドワイヤ１３の両端部を持ち、ガイドワイヤ１３を湾曲させながらガイドワイヤ１３の両端部を溝Ｇに圧入するという厄介な作業を行なわなければならず、組立て作業性が極めて悪いという欠点があった。
【００２３】
また、コイルバネ１４の組込みを手作業によらず機械化した場合であっても、最初の位置決めが困難な上に、ガイドワイヤ１３の端部の圧入治具を２個必要とする等、やはり組立て作業性が極めて悪いという欠点があった。
【００２４】
上述の事情に鑑み、本発明は、記録媒体としてのディスクを回転自在に収容するハウジングに、ドライブ装置の記録再生ヘッドをディスクの表面にアクセスさせるための開口と、バネ部材により閉方向に付勢された態様で上記開口を開閉するロータリーシャッタとが設けられ、上記バネ部材が、ハウジングに両端部を係止されたガイドワイヤに装着されてこのガイドワイヤに沿って伸縮する細長いコイルバネからなるディスクカートリッジにおいて、上記コイルバネの組込みを容易にしたコイルバネの係止構造を提供することを目的とするものである。
【００２５】
【課題を解決するための手段】
本願第１の発明は、ハウジングに設けられているワイヤ係止部からのガイドワイヤの抜出しを防止すべく上記ガイドワイヤの両端に形成される膨大部が、ガイドワイヤに装着されたコイルバネの脱出を阻止し得る大きさを有するとともに、少なくとも一方の膨大部が、この膨大部側からのからのガイドワイヤのコイルバネ内への挿入を可能にする例えば矢尻型の形状に形成されていることを特徴とするものである。
【００２６】
その場合、上記ガイドワイヤを金属線とし、上記少なくとも一方の膨大部を、上記ガイドワイヤをインサート成形により結合した合成樹脂で構成することができる。あるいは、上記ガイドワイヤおよび上記少なくとも一方の膨大部全体を、合成樹脂の一体成形により形成してもよい。
【００２７】
本願第２の発明は、ハウジングに設けられているワイヤ係止部からの上記ガイドワイヤの抜出しを防止すべくガイドワイヤの両端に形成される膨大部が互いに大小関係を有するとともに、小さい方の膨大部はコイルバネ内の通過を許容される大きさを有し、ハウジングの一方のワイヤ係止部に、小さい方の膨大部の通過は許容する一方、大きい方の膨大部の通過は阻止し得る大きさの孔が形成されていることを特徴とするものである。
【００２８】
上記孔を備えた一方のワイヤ係止部が、コイルバネの圧縮方向側の係止部である場合、上記孔はコイルバネの通過をも阻止し得る大きさを有していることが好ましい。
【００２９】
また、小さい方の膨大部を先端に備えたガイドワイヤの他端部が、押さえ部材によりハウジングの他方のワイヤ係止部に係止されていることが好ましい。
【００３０】
本願第３の発明は、ハウジングが備えているワイヤ係止部からの上記ガイドワイヤの抜出しを防止するための膨大部がガイドワイヤの両端に形成されているとともに、少なくとも一方の膨大部はコイルバネ内の通過を許容される大きさを有し、ガイドワイヤの両端部がそれぞれ押さえ部材によりハウジングのワイヤ係止部に係止されていることを特徴とするものである。
【００３１】
【発明の効果】
本願第１の発明によれば、ガイドワイヤの両端に形成される抜止め用の膨大部が、ガイドワイヤに装着されたコイルバネの脱出を阻止し得る大きさを有するとともに、少なくとも一方の膨大部が、この膨大部側からのからのガイドワイヤのコイルバネ内への挿入を可能にする例えば矢尻型の形状に形成されていることにより、この膨大部の最大径を有する部分の外径がコイルバネの内径よりも大きくとも、膨大部を先頭にしてガイドワイヤをコイルバネ内へ挿入しようとすると、膨大部の楔状斜面によってコイルバネの内径が拡大され、膨大部のコイルバネ内への挿入および貫通が可能になり、これによって、コイルバネをガイドワイヤ両端の膨大部間に装着した状態でガイドワイヤにより保持させることができる。
【００３２】
したがって、従来のようにコイルバネを両手の指で縮めながら組み込むというような厄介な作業を必要としないので、コイルバネの組込みが極めて容易になる効果がある。
【００３３】
また、本願第２の発明によれば、ガイドワイヤの両端に形成される抜止め用の膨大部が互いに大小関係を有するとともに、小さい方の膨大部はコイルバネ内の通過を許容される大きさを有し、ハウジングの一方のワイヤ係止部に、このガイドワイヤの小さい方の膨大部の通過は許容するが、大きい方の膨大部の通過は阻止し得る大きさの孔が形成されていることにより、コイルバネの組込みに際しては、先ずハウジングの一方のワイヤ係止部に形成された上記の孔に対し、小さい方の膨大部を先頭にしてガイドワイヤを大きい方の膨大部の位置まで挿通して、ガイドワイヤの一端部をハウジングに支持させておいてから、小さい方の膨大部側からコイルバネをガイドワイヤに装着するという手順でコイルバネを組み込むことができるから、やはり、コイルバネの組込みが極めて容易になる効果がある。
【００３４】
そして、上記孔を備えた一方のワイヤ係止部をコイルバネの圧縮方向側の係止部とした場合、上記孔をコイルバネの通過をも阻止し得る大きさにすることによって、孔の周囲の壁面をコイルバネの係止部にすることができる。
【００３５】
さらに、本願第３の発明によれば、ガイドワイヤの少なくとも一方の膨大部が、はコイルバネ内の通過を許容される大きさを有し、かつガイドワイヤの両端部がそれぞれ押さえ部材によりハウジングのワイヤ係止部に係止される構成としたことにより、コイルバネ内の通過を許容される大きさを有する膨大部側を自由端として、ガイドワイヤの基端を押さえ部材によりハウジングのワイヤ係止部に係止した後、ガイドワイヤの自由端側からコイルバネをガイドワイヤに装着するという手順で、コイルバネを組み込むことができるから、本願第２の発明と同様に、コイルバネの組込みが極めて容易になる効果がある。
【００３６】
【発明の実施の形態】
以下、本発明の実施の形態について、図面を参照して詳細に説明する。
【００３７】
図１（ａ）〜（ｅ）は、本願第１の発明によるディスクカートリッジの実施の形態であるコイルバネの係止構造を示す。
【００３８】
図１（ａ）はガイドワイヤを示し、このガイドワイヤ１３は、楔状斜面４０ａを有する矢尻型の膨大部４０を両端に備えている。この矢尻型の膨大部４０は、図１（ｂ）に示すように、コイルバネ１４の外径ｄ１に等しいか、ｄ１よりも若干大きい外径ｄ２を備えている。そして、図１（ｃ）に示すように、ガイドワイヤ１３をその矢尻型膨大部４０側からコイルバネ１４内に挿入すると、矢尻型膨大部４０の楔状斜面４０ａによってコイルバネ１４が拡径されて、ガイドワイヤ１３のコイルバネ１４内への挿入および貫通が可能になり、図１（ｄ）に示すように、コイルバネ１４をガイドワイヤ１３両端の膨大部４０，４０間に装着することができる。
【００３９】
そして、矢尻型膨大部４０の外径ｄ２がコイルバネ１４の外径ｄ１以上であることにより、コイルバネ１４はガイドワイヤ１３から脱出することなく、両端の膨大部４０，４０間に装着した状態でガイドワイヤ１４により保持させることができ、この状態で、コイルバネ１４を若干縮めて、ガイドワイヤ１３の両端部をフレーム２のワイヤ係止部２ｂ，２ｃに形成されている溝Ｇに圧入すれば、図１（ｅ）に示すように、図１０と同様の構成を有するフレーム２にコイルバネ１４を容易に組込むことができる。そして、図１（ｅ）に示す状態において、コイルバネ１４の右端と係止壁２ｅとの間に、下シャッタ部材７Ｄのバネ係止片７ｄを割り込ませれば、図１０と同様の状態にすることができる。
【００４０】
本実施の形態によれば、コイルバネ１４を予めガイドワイヤ１３に保持させた状態でフレーム２に組み込むようにしているから、従来のようにコイルバネを両手の指で縮めながら組み込むというような厄介な作業を必要としないので、フレーム２にコイルバネ１４を容易に組込むことができるとともに、図１０に示したものと同様の構成を有するフレーム２をそのまま用いることができるという利点がある。
【００４１】
なお、上記矢尻型膨大部４０は、コイルバネ１４の端部の係止と、ガイドワイヤ１３のコイルバネ１４への挿通との双方の機能を有するものであるから、ガイドワイヤ１３の一端のみに矢尻型膨大部４０を設けたものでもよく、ガイドワイヤ１３の他端には、単にコイルバネ１４の脱出を防止し得る大きさの膨大部を設けるだけでもよい。
【００４２】
図２（ａ），（ｂ）は、ガイドワイヤ１３の端部に設けられる矢尻型膨大部の変形を示し、図２（ａ）に示す構成は、矢尻型膨大部４１が合成樹脂で形成され、その成形時に、金属製ガイドワイヤ１３の一端をインサート成形により結合したものである。そして、矢尻型膨大部４１には、ガイドワイヤ１３の延長方向に延びるスリット４１ａを形成して弾性を持たせることにより、コイルバネ１４内への挿入を容易にしている。
【００４３】
次の図３（ａ），（ｂ）は、本願第２の発明によるディスクカートリッジの実施の形態であるコイルバネの係止構造を示す。
【００４４】
図３（ａ）は、フレーム５０、ガイドワイヤ１３およびコイルバネ１４を個々に示す。ガイドワイヤ１３の左端には、大径の膨大部４５が形成され、ガイドワイヤ１３の右端には、コイルバネ１４内への挿入を容易にする、従来と同様の小径の膨大部１３ｂが形成されている。
【００４５】
一方、フレーム２の左端のワイヤ係止部、すなわちコイルバネ１４の圧縮方向側のワイヤ係止部には、ガイドワイヤ１３を挿通させる孔５２を備えた筒状体５１が固定されている。この筒状体５１の孔５２は、ガイドワイヤ１３の小径の膨大部１３ｂの通過は許容するが、ガイドワイヤ１３の大径の膨大部４５およびコイルバネ１４の通過は阻止し得る大きさに形成されている。したがって、コイルバネ１４をフレーム２に組み込む際には、先ずフレーム２の筒状体５１の孔５２に対し、小径の膨大部１３ｂを先頭にして、図の左方から右方へガイドワイヤ１３を大径の膨大部４５の位置まで挿通し、次に小径の膨大部１３ｂ側からコイルバネ１４をガイドワイヤ１３に装着した後、小径の膨大部１３ｂ側のワイヤ端部をフレーム２の右端のワイヤ係止部に係止するという手順でコイルバネ１４を容易にフレーム２に組み込むことができる。
【００４６】
そして、フレーム２の筒状体５１の孔５２が、コイルバネ１４の通過は阻止し得る大きさを有することにより、筒状体５１の孔５２の周囲の壁面５１ａを、コイルバネ１４の端部の係止壁面とすることができる。
【００４７】
一方、小径の膨大部１３ｂ側のワイヤ端部を係止するためのフレーム右端のワイヤ係止部は、従来のようなワイヤ端部の溝への圧入でなく、例えば図３（ｂ）に示すように、ロータリーシャッタ７のバネ係止片７ｄを係止する係止壁面５３ａを備えたワイヤ係止部５３にワイヤ端部を配置した後、このワイヤ係止部５３に対しスナップアクション式に嵌着し得る別部材のワイヤ押さえ部材５４を用いている。このようなワイヤ押さえ部材５４を用いた方が、ガイドワイヤ１３の係止が容易になる。
【００４８】
図４は、本願第３の発明によるディスクカートリッジの実施の形態であるコイルバネの係止構造を示す。
【００４９】
本実施の形態に場合は、ガイドワイヤ１３は図１０に示したものと同様に、小径の膨大部１３ａ，１３ｂを両端に備えたものを用いており、フレーム右端のワイヤ係止部５３には、図３（ｂ）と同様に、ワイヤ係止部５３に対しスナップアクション式に嵌着し得る別部材のワイヤ押さえ部材５４を用いている。また、フレーム左端のワイヤ係止部５５にも、フレーム右端のワイヤ係止部５３と同様に、ワイヤ係止部５５に対しスナップアクション式に嵌着し得る別部材のワイヤ押さえ部材５６を用いている。
【００５０】
本実施の形態の場合には、先ずガイドワイヤ１３の左端部をワイヤ押さえ部材５６によってワイヤ係止部５５に係止し、この状態で、右端の膨大部１３ｂ側からコイルバネ１４をガイドワイヤ１３に装着した後、ガイドワイヤ１３の右端部をワイヤ押さえ部材５４を用いてワイヤ係止部５３に係止すればよい。
【００５１】
本実施の形態も、図３に示した実施の形態と同様に、コイルバネ１４を容易にフレーム２に組み込むことができること明らかである。
【図面の簡単な説明】
【図１】図１（ａ）〜（ｅ）は本願第１の発明によるディスクカートリッジの実施の形態であるコイルバネの係止構造を示す説明図
【図２】図２（ａ），（ｂ）は図１のガイドワイヤの先端に形成される矢尻型膨大部の変形を示す図
【図３】図３（ａ），（ｂ）は本願第２の発明によるディスクカートリッジの実施の形態であるコイルバネの係止構造を示す説明図
【図４】本願第３の発明によるディスクカートリッジの実施の形態であるコイルバネの係止構造を示す説明図
【図５】図５（ａ）〜（ｃ）は、ロータリーシャッタが閉状態にあるときの従来の磁気ディスクカートリッジを示す平面図、右側面図および底面図
【図６】図６（ａ），（ｂ）は、ロータリーシャッタが開状態にあるときの図５の磁気ディスクカートリッジを示す平面図および底面図
【図７】図５の磁気ディスクカートリッジの分解斜視図
【図８】図８（ａ），（ｂ）は、図５の磁気ディスクカートリッジを、ロータリーシャッタの閉状態および開状態において、それぞれ上シェルを取り除きかつ磁気ディスクを省略して示す平面図
【図９】ドライブ装置の平面図
【図１０】図１０（ａ），（ｂ）は従来のディスクカートリッジにおけるコイルバネの係止構造を拡大して示す説明図
【図１１】従来のディスクカートリッジにおけるコイルバネの組込み方法の説明図
【符号の説明】
２，５０    フレーム
３    上シェル
４    下シェル
５    ディスク
７    ロータリーシャッタ
７Ｕ    上シャッタ部材
７Ｄ    下シャッタ部材
１３    ガイドワイヤ
１４    コイルバネ
４０    矢尻型膨大部
４５    大径の膨大部
５２    孔
【図１】
2004178642.tif 000003
【図２】
2004178642.tif 000004
【図３】
2004178642.tif 000005
【図４】
2004178642.tif 000006
【図５】
2004178642.tif 000007
【図６】
2004178642.tif 000008
【図７】
2004178642.tif 000009
【図８】
2004178642.tif 000010
【図９】
2004178642.tif 000011
【図１０】
2004178642.tif 000012
【図１１】
2004178642.tif 000013